(57)【要約】【課題】後処理を行う記録シートと後処理を行わない記録シートとに画像を記録して出力するとき、一連の画像形成動作にかかる時間を短くして、生産性を高くする。【解決手段】画像形成装置と後処理装置とを備える画像形成システムにおいて、一連の画像形成動作で、折り加工を行う記録シートＳ４、Ｓ９と折り加工を行わない記録シートＳ１、Ｓ２、Ｓ３、Ｓ５、Ｓ６、Ｓ７、Ｓ８、Ｓ１０とに画像を記録して出力するとき、画像形成装置で、折り加工を行う記録シートを、頁順を入れ替えて本来の順序より早く出力し、後処理装置で、本来の頁順に戻して出力する。【選択図】　　　　図３
2004020882.tif 000002
【特許請求の範囲】
【請求項１】
一連の画像形成動作で、後処理を行う記録シートと後処理を行わない記録シートとに画像を記録して出力するとき、後処理を行う記録シートを、頁順を入れ替えて本来の順序より早く出力する画像形成装置と、
その画像形成装置から送り込まれた記録シートに後処理を行わないときはそのまま出力し、後処理を行うときは後処理を行ってから前記後処理を行わない記録シートに合流して本来の頁順に戻して出力する後処理装置と、
を備えることを特徴とする、画像形成システム。
【請求項２】
前記画像形成装置に、前記一連の画像形成動作で記録する記録情報を記憶する記憶手段を備え、その記憶手段から記録情報を読み出して前記後処理を行う記録シートの頁順を入れ替えることを特徴とする、請求項１に記載の画像形成装置。
【請求項３】
前記後処理装置が、折り加工を行う装置であることを特徴とする、請求項１に記載の画像形成装置。
【請求項４】
前記後処理装置に、前記画像形成装置から送り込まれた記録シートを搬送する主搬送路と、その主搬送路から分岐して設け、前記後処理を行う記録シートを導入してその記録シートに後処理を行ってから再び前記主搬送路に戻す迂回搬送路とを備えることを特徴とする、請求項１ないし３のいずれか１に記載の画像形成装置。
【請求項５】
一連の画像形成動作で複数部の画像形成を行うとき、１部目から、前記画像形成装置で記録シートの頁順を入れ替えて出力し、前記後処理装置で頁順に戻して出力することを特徴とする、請求項１ないし４のいずれか１に記載の画像形成装置。
【請求項６】
一連の画像形成動作で複数部の画像形成を行うとき、１部目は、前記画像形成装置で記録シートの頁順を入れ替えないで出力し、前記後処理装置でそのままの頁順で出力するが、２部目以降は、前記画像形成装置で記録シートの頁順を入れ替えて出力し、前記後処理装置で頁順に戻して出力することを特徴とする、請求項１ないし４のいずれか１に記載の画像形成装置。
【発明の詳細な説明】
【０００１】
【発明の属する技術分野】
この発明は、コピーやプリンタやファクシミリ、またはそれらの複合機など、用紙・ＯＨＰフィルム等の記録シートに画像を記録するデジタル式の画像形成装置と、その画像形成装置から送り込まれた記録シートに後処理、例えば折り加工などを行う後処理装置とを有する画像形成システムに関する。
【０００２】
【従来の技術】
従来、画像形成装置と後処理装置とを備える画像形成システムにおいて、例えば、特開平１０−２５０８９０号公報に記載の技術があった。
【０００３】
その画像形成システムは、折り加工を行う記録シ−トと、折り加工を行わない記録シートとに画像を記録して出力するとき、頁順で記録シートに画像を記録して画像形成装置から出力し、その画像形成装置から後処理装置内へ送り込まれた記録シートに、頁順序のまま、折り加工を行わないときはそのまま出力し、折り加工を行うときは折り加工を行ってから出力していた。
【０００４】
その折り加工を行う場合、次の記録シートは、前の記録シートの折り加工が完了するまで、待機中としていた。
【０００５】
【発明が解決しようとする課題】
しかし、そのように折り加工が完了するまで、次の記録シートを待機中とすると、折り加工を行う記録シートがあるたびに、待機時間を必要とするため、一連の画像形成動作にかかる時間が長くなり、それにより生産性が低くなる問題があった。
【０００６】
特に、一連の画像形成動作で、同じものを複数部、画像形成を行うとき、部数が増えれば増えるほど、上述した待機時間が比例して増加し、著しく生産性が低くなる問題があった。
【０００７】
そこで、この発明の目的は、後処理を行う記録シートと後処理を行わない記録シートとに画像を記録して出力するとき、一連の画像形成動作にかかる時間を短くして、生産性を高くすることにある。
【０００８】
【課題を解決するための手段】
そのため、請求項１に記載の発明は、上述した目的を達成すべく、
画像形成システムにおいて、
一連の画像形成動作で、後処理を行う記録シートと後処理を行わない記録シートとに画像を記録して出力するとき、後処理を行う記録シートを、頁順を入れ替えて本来の順序より早く出力する画像形成装置と、
その画像形成装置から送り込まれた記録シートに後処理を行わないときはそのまま出力し、後処理を行うときは後処理を行ってから後処理を行わない記録シートに合流して本来の頁順に戻して出力する後処理装置と、
を備えることを特徴とする。
【０００９】
請求項２に記載の発明は、上述した目的を達成すべく、
請求項１に記載の画像形成システムにおいて、
画像形成装置に、一連の画像形成動作で記録する記録情報を記憶する記憶手段を備え、その記憶手段から記録情報を読み出して後処理を行う記録シートの頁順を入れ替えることを特徴とする。
【００１０】
請求項３に記載の発明は、上述した目的を達成すべく、
請求項１に記載の画像形成システムにおいて、
後処理装置が、折り加工を行う装置であることを特徴とする。
【００１１】
請求項４に記載の発明は、上述した目的を達成すべく、
請求項１ないし３のいずれか１に記載の画像形成システムにおいて、
後処理装置に、
画像形成装置から送り込まれた記録シートを搬送する主搬送路と、その主搬送路から分岐して設け、後処理を行う記録シートを導入してその記録シートに後処理を行ってから再び主搬送路に戻す迂回搬送路とを備えることを特徴とする。
【００１２】
請求項５に記載の発明は、上述した目的を達成すべく、
請求項１ないし４のいずれか１に記載の画像形成システムにおいて、
一連の画像形成動作で複数部の画像形成を行うとき、１部目から、画像形成装置で記録シートの頁順を入れ替えて出力し、後処理装置で頁順に戻して出力することを特徴とする。
【００１３】
請求項６に記載の発明は、上述した目的を達成すべく、
請求項１ないし４のいずれか１に記載の画像形成システムにおいて、
一連の画像形成動作で複数部の画像形成を行うとき、１部目は、画像形成装置で記録シートの頁順を入れ替えないで出力し、後処理装置でそのままの頁順で出力するが、２部目以降は、画像形成装置で記録シートの頁順を入れ替えて出力し、後処理装置で頁順に戻して出力することを特徴とする。
【００１４】
【発明の実施の形態】
以下、図面を参照しつつ、この発明の実施の形態につき説明する。
図１には、画像形成装置の一例であるデジタル式のレーザ複写機と後処理装置とを備えた画像形成システムの全体概略構成を示す。
【００１５】
図中符号１００は複写機本体、２００はそれを載せるシートバンク、３００は複写機本体１００上に取り付ける画像読取装置、４００はさらにその上に取り付ける原稿自動搬送装置（ＡＤＦ）である。また、５００は複写機本体１００の左側に取り付ける後処理装置５００である。その後処理装置５００は、折り加工を行う折り装置６００とフィニッシャ装置７００とを備える。
【００１６】
複写機本体１００には、内部中央やや右側上方に、ドラム状の像担持体１０を設ける。像担持体１０は、図中時計まわりに回転する。像担持体１０のまわりには、像担持体１０のほぼ上方に設置する帯電装置１１から回転方向に、現像装置１２、転写・分離ベルト装置１３、クリーニング装置１４などを配置する。帯電装置１１の上には、書込み装置１５を備える。
【００１７】
まず、帯電装置１１は、高電圧を印加することにより像担持体１０の表面を一様に帯電する。
【００１８】
次に、現像装置１２は、現像剤を収納する現像器１６を、着脱自在に備える。そして、現像器１６を像担持体１０に近接し、現像器１６内に収納するローラ状の現像剤担持体１７を像担持体１０に接触するか近接可能とする。
【００１９】
また、転写・分離ベルト装置１３は、像担持体１０との間に転写位置ａを備える。そして、その転写位置ａから記録シートを搬送可能とする。
【００２０】
さらに、像担持体１０のまわりに配置するクリーニング装置１４には、像担持体１０に押し当てる不図示のクリーニング部材を備える。
【００２１】
複写機本体１００内の中央には、転写位置ａから、図中右から左へと、用紙・ＯＨＰフィルム等の記録シートを搬送するシート搬送路Ｒを設ける。そのシート搬送路Ｒの上流には、シートバンク２００からの記録シートを搬送する供給路１９が下方から転写位置ａに向けて形成される。その転写位置ａの上流には、一対のレジストローラ２０を備える。また、シート搬送路Ｒの下流には、転写・分離ベルト装置１３に続けて定着装置２１を備え、その定着装置２１のさらに下流には、一対の排出ローラ２２を備える。
【００２２】
シートバンク２００には、記録シートを収納する４つのシートカセット２３を上下多段に各々着脱自在に備える。それらのシートカセット２３には、それぞれ不図示の供給ローラを備える。また、それらの供給ローラで送り出した記録シートを搬送して複写機本体１００の供給路１９に送り込む不図示の搬送路を設ける。
【００２３】
画像読取装置３００には、上面にコンタクトガラス２４を備える。さらに画像読取装置３００の内部には、原稿のサイズを検知するセンサ２５を例えば３つと、コンタクトガラス２４上の原稿を照明する光源２６と、その光源２６からの光で原稿から反射した光を反射するミラー２７を例えば３つと、そのミラー２７からの反射光を絞る結像用光学レンズ２８と、その結像用光学レンズ２８を通過した光を電子データに変換する光電変換素子２９とを備える。
【００２４】
原稿自動搬送装置４００には、読取り原稿をセットする原稿台３１と、原稿台３１上の読取り原稿を搬送する原稿供給ローラ３２と、その原稿供給ローラ３２から送り出した原稿を画像読取装置３００のコンタクトガラス２４上の読取位置へ搬送する原稿搬送ローラ３３と、上述した原稿台３１下に設けて読取り済みの原稿を排出する排出台３４とを備える。
【００２５】
そのようなデジタル式の複写機本体１００には、図２に示すような制御系を備える。図２に示す制御系のメイン制御手段Ｃは、記憶手段Ｄ、例えばハードディスクを備える。また、メイン制御手段Ｃは、複写機本体１００の操作手段Ｅを介して、ユーザーからの指令を受け、その指令により、複写機本体１００の上述した各装置、シートバンク２００、画像読取装置３００、原稿自動搬送装置４００、折り装置６００、およびフィニッシャ装置７００へと信号の送受信を行い、後述するようにそれらの装置を制御する。
【００２６】
また、図１に示すように、折り装置６００には、複写機本体１００のシート搬送路Ｒから送り込まれた記録シートを搬送する主搬送路３５と、その主搬送路３５から分岐して設け、折り加工を行う記録シートを導入して、その記録シートに折り加工を行ってから再び主搬送路３５に戻す迂回搬送路３６とを備える。
【００２７】
まず、主搬送路３５には、主搬送路３５から迂回搬送路３６へと分岐する位置に、回動自在の分岐切換爪３８を備えるとともに、迂回搬送路３６から主搬送路３５へと合流する位置に、回動自在の合流切換爪３９を備える。そして、主搬送路３５の下流には、記録シートをフィニッシャ装置７００へ搬送する一対の折り装置排出ローラ４０を備える。
【００２８】
次に、迂回搬送路３６には、第１のシート折りローラ４１と、第２のシート折りローラ４２と、第３のシート折りローラ４４とを備える。また、迂回搬送路３６には、第１のシート折り路ｇと、第２のシート折り路ｈとを設ける。さらに、その第１のシート折り路ｇの下流には、第１のストッパ４３を、第２のシート折り路ｈの下流には、第２のストッパ４５をそれぞれ備える。
【００２９】
フィニッシャ装置７００には、折り装置６００の主搬送路３５から続くフィニッシャ搬送路４９と、記録シートをフィニッシャ装置７００から出力する一対のフィニッシャ排出ローラ５０と、記録シートを整合トレイ５２へ搬送するとともに、記録シートの搬送方向の整合を行うタタキコロ５１と、記録シートの横方向の整合を行う不図示のジョガーと、載置した記録シートに整合を行う整合トレイ５２と、記録シートにステイプルを行うステイプラ５３と、整合トレイ５２上の記録シートを放出する不図示の放出手段と、放出した記録シートをスタックする排出トレイ５４とを備える。
【００３０】
さて、いまこの画像形成システムを用いてコピーをとるときは、不図示のメインスイッチをオンするとともに、原稿自動搬送装置４００の原稿台３１上に原稿をセットする。または、原稿自動搬送装置４００を開いて画像読取装置３００のコンタクトガラス２４上に直接原稿をセットし、原稿自動搬送装置４００を閉じてそれで押さえる。
【００３１】
そして、不図示のコピースイッチを押すと、原稿自動搬送装置４００に原稿をセットしたときは、原稿供給ローラ３２および原稿搬送ローラ３３により原稿を搬送してコンタクトガラス２４上へと移動してから画像読取装置３００を駆動し、コンタクトガラス２４上に直接原稿をセットしたときは、直ちに画像読取装置３００を駆動し、原稿内容を読取って排出台３４上に排出する。
【００３２】
画像読取装置３００は、光源２６を点灯し、その光源２６からの光Ｌでコンタクトガラス２４上の原稿を照射し、原稿で反射した光Ｌをミラー２７を介して結像用光学レンズ２８により光電変換素子２９上に結像し、その光電変換素子２９により画像データに変換してから、その画像データを上述したメイン制御手段Ｃへ送る。
【００３３】
このとき、画像読取装置３００のセンサ２５は、コンタクトガラス２４上の原稿のサイズを検知し、その情報をメイン制御手段Ｃへ送る。
【００３４】
そして、メイン制御手段Ｃは、サイズ、頁順、原稿内容などの記録情報を、記憶手段Ｄに記憶する一方、原稿のサイズに基づき、シートバンク２００のシートカセット２３を適宜選択する。
【００３５】
シートバンク２００では、適宜選択した供給ローラを回転して、対応するシートカセット２３から記録シートを送り出し、搬送路を通して搬送し、複写機本体１００の供給路１９に送り込み、一対のレジストローラ２０間に突き当てて止める。
【００３６】
また、不図示のコピースイッチを押したとき、同時に、複写機本体１００では、不図示の駆動モータで像担持体１０を回転する。
【００３７】
そして、像担持体１０の回転とともに、その表面を帯電装置１１で一様に帯電し、記憶手段Ｄから記録情報を読み出して書込み装置１５で書込みを行って像担持体１０上に静電潜像を形成する。次いで、現像装置１２で、像担持体１０に近接した現像器１６の現像剤担持体１７により現像剤を静電付着し、静電潜像を可視像化して画像を形成する。
【００３８】
そして、この像担持体１０上の画像にタイミングを合わせてレジストローラ２０を回転し、転写位置ａに向けて該記録シートを送り込む。転写位置ａでは、像担持体１０上に形成した上述の画像を該記録シートに転写する。
【００３９】
画像転写後の記録シートは、転写・分離ベルト装置１３で搬送して定着装置２１に入れ、そこで熱と圧力とを加えて転写画像を定着する。画像定着後の記録シートは、排出ローラ２２により複写機本体１００から出力して、後処理装置５００の折り装置６００に搬送する。
【００４０】
一方、画像転写後の像担持体１０は、回転とともに、表面上の転写残トナーをクリーニング装置１４で除去して後、表面を不図示の除電装置で除電し、再度の画像転写に備える。
【００４１】
ところで、折り装置６００に搬送した記録シートに、折り加工を行わないときは、分岐切換爪３８および合流切換爪３９を回動せず、図示の通りとする。そして、記録シートは、主搬送路３５を通過し、折り装置排出ローラ４０により、フィニッシャ装置７００へ搬送する。
【００４２】
また、折り加工を行うときは、分岐切換爪３８および合流切換爪３９をタイミングをとって回動する。そして、記録シートは、主搬送路３５から分岐切換爪３８により迂回搬送路３６へと搬送し、その後、不図示の搬送ローラ対により、第１のシート折り路ｇの第１のストッパ４３に、記録シート先端が当接するまで搬送する。さらに記録シートを搬送すると、その記録シートは、第１のシート折りローラ４１と第２のシート折りローラ４２との間でたわみ、ついには第１のシート折りローラ４１と第２のシート折りローラ４２とのニップ間にかみこまれ、これにより、記録シートに第１の折りがなされる。この第１の折りの位置は、記録シート先端側から略１／４の位置である。
【００４３】
そして、今度は、この第１の折り位置を先端にして、記録シートを第１のシート折りローラ４１と第２のシート折りローラ４２とで第２のシート折り路ｈに搬送し、第２のストッパ４５に記録シート先端が当接するまで搬送する。さらに記録シートを搬送すると、その記録シートは、第２のシート折りローラ４２と第３のシート折りローラ４４との間でたわみ、ついには第２のシート折りローラ４２と第３のシート折りローラ４４とのニップ間にかみこまれ、これにより、記録シートに第２の折りがなされる。この第２の折りの位置は、記録シート先端側から略１／２の位置である。
【００４４】
このようにして、記録シートはＺ折りされ、このときの記録シートのサイズは、複写機本体１００から出力したときのサイズの半分となる。
【００４５】
今度は、この第２の折り位置を先端にして、記録シートを第２のシート折りローラ４２と第３のシート折りローラ４４とでさらに搬送し、迂回搬送路３６に設けた不図示の搬送ローラ対により、合流切換爪３９まで搬送し、再び主搬送路３５に戻して、折り装置排出ローラ４０により、フィニッシャ装置７００へ搬送する。
【００４６】
また、フィニッシャ装置７００に搬送した記録シートに、ステイプルを行わないとき、記録シートは、フィニッシャ搬送路４９を通過し、フィニッシャ排出ローラ５０により直ちに排出トレイ５４上に出力してスタックする。
【００４７】
一方、記録シートにステイプルを行うとき、タタキコロ５１をフィニッシャ搬送路４９へ進出するとともに、そのタタキコロ５１のローラを反時計回り、つまり記録シートの搬送方向と反対の方向へ回転する。
【００４８】
記録シートは、フィニッシャ搬送路４９を通過した後、排出されるが、タタキコロ５１のローラに記録シートが接触すると、そのローラの回転により整合トレイ５２上に載置されるとともに、ステイプラ５３の上流側基準位置ｆに押し当てられて、記録シートの搬送方向の整合を行う。また、このとき、不図示のジョガーにより記録シートの横方向の整合も行う。その後、タタキコロ５１をフィニッシャ搬送路４９から後退し、次の記録シートの搬送に備える。
【００４９】
以下同様にして、所要の記録シートを出力してから、ステイプラ５３によりステイプルを行ってから、不図示の放出手段により排出トレイ５４上にスタックする。
【００５０】
ところで、そのような画像形成システムにより、一連の画像形成動作で、折り加工を行う記録シートと折り加工を行わない記録シートとに画像を記録して、折り加工を行い出力する場合を、図３ないし図５を用いて説明する。
【００５１】
ここで、「一連の画像形成動作」とは、複写機の場合は、コピースイッチが押された後、原稿なしとなって指定部数の出力を終了するまでであり、プリンタの場合は、出力途中のファイルの出力を終了するまでであり、ファクシミリの場合は、受信中の通信状態を終了するまでである。
【００５２】
上述のような場合の原稿を、例えば、図３（Ａ）に示すように、１頁目の原稿Ｐ１から１０頁目の原稿Ｐ１０までの全１０頁とし、そのうち４頁目の原稿Ｐ４および９頁目の原稿Ｐ９がＡ３サイズの大きいサイズで、残りは、Ａ４サイズの小さいサイズのものとする。
【００５３】
まず、すべての原稿Ｐ１からＰ１０の幅をそろえてから、原稿自動搬送装置４００の原稿台３１にセットする。その後、ユーザーは、操作手段Ｅにより、混在モードにするとともに、指定部数を入力してから、不図示のコピースイッチを押すと、上述したように１頁目の原稿Ｐ１をコンタクトガラス２４上へと移動してから画像読取装置３００を駆動する。
【００５４】
そして、上述したように、１頁目の原稿Ｐ１を読取り、サイズ、頁順、原稿内容などの記録情報を記憶手段Ｄに記憶する。
【００５５】
１頁目の原稿Ｐ１のサイズがＡ４であるので、シートバンク２００のＡ４のシートカセット２３を選択して、記録シートＳ１を送り出し、上述したように複写機本体１００で画像形成を行ってから出力し、折り装置６００を通過してからフィニッシャ装置７００の整合トレイ５２上に載置して整合を行う。
【００５６】
以下同様にして、一部目は、残りの原稿Ｐ２からＰ１０までを原稿の順番に、原稿自動搬送装置４００で一枚ずつ画像読取装置３００へ移動して読取り、一連の画像形成動作で記録するサイズ、頁順、原稿内容などの記録情報を記憶手段Ｄで記憶しつつ、シートバンク２００から対応する記録シートＳ２からＳ１０を送り出し、記録シートの頁順を入れ替えないで、複写機本体１００で画像形成を行ってから出力し、後処理装置５００からそのままの頁順で出力し、整合トレイ５２上に載置する。
【００５７】
ただし、記録シートＳ４、Ｓ９は、Ａ３サイズの大きいサイズであるため、複写機本体１００から出力後、後処理装置５００において、上述したように、迂回搬送路３６へと搬送し、Ｚ折りの折り加工を行い、Ａ４サイズの小さいサイズにしてから、整合トレイ５２上に載置する。
【００５８】
そして、記録シートＳ１からＳ１０を、整合トレイ５２上に載置して後、ステイプラ５３により、それらにステイプルを行ってから、排出トレイ５４にスタックする。
【００５９】
しかしながら、二部目以降は、メイン制御手段Ｃにより、記録手段Ｄから記録情報を読み出して、折り加工を行う大きいサイズの記録シートＳ４、Ｓ９を、頁順を入れ替えて、本来の順序より早く複写機本体１００から出力し、折り装置５００内で、その複写機本体１００から送り込まれた記録シートに折り加工を行わないときはそのまま出力し、折り加工を行うときは折り加工を行ってから折り加工を行わない記録シートに合流して本来の頁順に戻して出力する。
【００６０】
例えば、複写機本体１００から出力する記録シートＳ１からＳ１０を、図３（Ｂ）に示す順番とする。そこで、以下にこのときの各装置の動作を順に説明する。
【００６１】
まず、記録シートＳ１に画像形成を行ってから、複写機本体１００から出力する。
【００６２】
次に、記録シートＳ４の画像形成を行ってから、複写機本体１００から出力する。
【００６３】
次いで、複写機本体１００では、記録シートＳ２の画像形成を行う。その後、図４に示すように、記録シートＳ２を複写機本体１００から出力しつつ、記録シートＳ３の画像形成に備える。一方、上述した記録シートＳ４は、折り装置６００の迂回搬送路３６へと搬送し、折り加工に備える。
【００６４】
次に、記録シートＳ４は、折り加工を行って後、図５に示すように、合流切換爪３９へ向けて搬送する。このとき、記録シートＳ２は、すでに主搬送路３５およびフィニッシャ搬送路４９を通過し、整合トレイ５２上に本来の頁順に載置している。また、記録シートＳ３は、主搬送路３５とフィニッシャ搬送路４９とを通過中である。さらにまた、複写機本体１００では、次の記録シートＳ５の画像形成に備えている。
【００６５】
次いで、記録シートＳ３を整合トレイ５２上に本来の頁順に載置して後、図６に示すように、記録シートＳ４を整合トレイ５２に向けて搬送する。このとき、複写機本体１００では、記録シートＳ５の画像形成を終え、次の記録シートＳ６の画像形成に備えている。
【００６６】
このようにして、折り加工を行うＡ３サイズの記録シートＳ４を、頁順を入れ替えて本来の順序より早く複写機本体１００から出力し、その複写機本体１００から送り込まれた記録シートＳ４を、後処理装置５００内で、折り加工を行っている間に、折り加工を行わない記録シートＳ２、Ｓ３を整合トレイ５２上に載置してから、上述した記録シートＳ４を整合トレイ５２上に載置して、本来の頁順に戻して記録シートＳ１からＳ４までを整合トレイ５２上に載置する。
【００６７】
次に、記録シートＳ５、Ｓ６に画像形成を行ってから、複写機本体１００および後処理装置５００より頁順に出力し、整合トレイ５２上に載置する。
【００６８】
次いで、Ａ３サイズの記録シートＳ９も頁順を入れ替えて、画像形成を行ってから、本来の順序より早く複写機本体１００から出力する。
【００６９】
次に、記録シートＳ７、Ｓ８に画像形成を行ってから、複写機本体１００から頁順に出力する。
【００７０】
そして、後処理装置５００内で、記録シートＳ９に折り加工を行っている間に、折り加工を行わない記録シートＳ７、Ｓ８を整合トレイ５２上に載置してから、記録シートＳ９を本来の頁順に戻して、整合トレイ５２上に載置する。
【００７１】
次いで、記録シートＳ１０に画像形成を行ってから、複写機本体１００および後処理装置５００から出力し、整合トレイ５２上に載置する。
【００７２】
そして、記録シートＳ１から１０を、整合トレイ５２上に載置して、ステイプラ５３により、そられにステイプルを行ってから、排出トレイ５４上にスタックする。
【００７３】
以下同様にして、その排出トレイ５４上の部数が、操作手段Ｅに入力した指定部数となるまで、上記の動作を繰り返す。
【００７４】
なお、上述には、一連の画像形成動作で複数部の画像形成を行うとき、１部目は、複写機本体１００で記録シートの頁順を入れ替えないで出力し、後処理装置５００でそのままの頁順で出力するが、２部目以降は、複写機本体１００で記録シートの頁順を入れ替えて出力し、後処理装置５００で頁順に戻して出力した例を示したが、一旦、画像読取装置３００ですべての原稿を読取って、記憶手段Ｄに記憶して後、１部目から、複写機本体１００で記録シートの頁順を入れ替えて出力し、後処理装置５００で頁順に戻して出力してもよい。
【００７５】
【発明の効果】
以上説明したとおり、この発明によれば、画像形成システムにおいて、一連の画像形成動作で、後処理を行う記録シートと後処理を行わない記録シートとに画像を記録して出力するとき、後処理を行う記録シートの頁順を入れ替えて、本来の順序より早く画像形成装置から出力し、後処理装置内で、その記録シートに後処理を行っている間に、画像形成動作を遅らせた後処理を行わない記録シートを後処理装置より先に出力してから、上述した後処理を行った記録シートを出力して、本来の頁順に戻すので、後処理を行う記録シートに続く後処理を行わない記録シートの待機時間を短くし、一連の画像形成動作にかかる時間を短くして、生産性を高くできる。
【図面の簡単な説明】
【図１】画像形成装置の一例である複写機と後処理装置とを備えた画像形成システムの全体概略構成図である。
【図２】その複写機本体に備える制御系のブロック図である。
【図３】その画像形成システムにおいて、折り加工を行う記録シートと、折り加工を行わない記録シートとに画像を記録する場合の（Ａ）は原稿の順番を示す説明図、（Ｂ）は複写機から出力する記録シートの順番を示す説明図である。
【図４】その画像形成システムにおいて、折り加工を行う記録シートと、折り加工を行わない記録シートとに画像を記録する場合の動作の説明図である。
【図５】同様の図である。
【図６】同様の図である。
【符号の説明】
３５　　主搬送路
３６　　迂回搬送路
１００　複写機本体（画像形成装置）
２００　シートバンク
３００　画像読取装置
４００　原稿自動搬送装置
５００　後処理装置
６００　折り装置
７００　フィニッシャ装置
Ｄ　　記憶手段
Ｓ１、Ｓ２、Ｓ３、Ｓ４、Ｓ５、Ｓ６、Ｓ７、Ｓ８、Ｓ９、Ｓ１０　記録シート
【図１】
2004020882.tif 000003
【図２】
2004020882.tif 000004
【図３】
2004020882.tif 000005
【図４】
2004020882.tif 000006
【図５】
2004020882.tif 000007
【図６】
2004020882.tif 000008